(57)【要約】【課題】  吐水空間部を備えたカウンターの上部に取り付けられ、水栓本体の両端に操作部が設けられた混合水栓において、操作部を容易に操作することができるようにする。【解決手段】  吐水空間部４を備えたカウンター３上部に設けられ給湯源，給水源から湯，水が供給される水栓本体１２と、水栓本体１２の左右両端に設けられ供給された湯，水の混合割合と吐水流量とを調節する第１操作部２１及び第２操作部２２と、水栓本体１２と連通し操作部２１，２２の操作により湯水が吐水される吐水具１８とを備えた混合水栓１１において、前記水栓本体１２は、両端が前記吐水空間部４に近づく平面視非直線形状とした。【選択図】  図３
2006063737.tif 000002
【特許請求の範囲】
【請求項１】
吐水空間部を備えたカウンター上部に設けられ給湯源，給水源から湯，水が供給される水栓本体と、水栓本体の左右両端に設けられ供給された湯，水の混合割合と吐水流量とを調節する第１操作部及び第２操作部と、水栓本体と連通し操作部の操作により湯水が吐水される吐水具とを備えた混合水栓において、前記水栓本体は、両端が前記吐水空間部に近づく平面視非直線形状としたことを特徴とする混合水栓。
【発明の詳細な説明】
【技術分野】
【０００１】
本発明は、洗面化粧台や流し台等のカウンターに取り付けられる混合水栓に関する。
【背景技術】
【０００２】
一般的な、洗面化粧台や流し台等のカウンターには、洗面ボウルやシンク等の吐水空間部が設けられている。また、カウンターの後方には垂直方向に立設したバックガード部が形成されており、このバックガード部と吐水空間部との間には混合水栓が取り付けられている。従来の混合水栓として、例えば特許文献１や特許文献２に開示されているようなものがあり、この混合水栓は、カウンター上部に取り付けられた水栓本体と、水栓本体に両端に設けられ湯，水の流量を調節するための各操作部と、湯水が吐水される吐水具とから構成されている。
【０００３】
【特許文献１】実開平５−４９８７４号公報
【特許文献２】特開昭６２−９９５２８号公報
【０００４】
しかしながら特許文献１においては、混合水栓は吐水空間部の後方に取り付けられ、水栓本体と操作部とは同一直線上であるため、特に高齢者や子供，車椅子を使用している人が混合水栓の操作部に手が届くようにするには、体を大きく動かしたり、腕を大きく伸ばしたりする必要があり、操作性の悪いものであった。
【０００５】
また特許文献２においては、混合水栓は吐水空間部の後方を斜めに切り欠いた取付部に取り付けられているため、混合水栓とバックガード部との間隔が狭く、混合水栓の操作部を操作する際に手がバックガード部に当たってしまい、操作性の悪いものであった。
【発明の開示】
【発明が解決しようとする課題】
【０００６】
この発明は、このような従来の技術に存在する問題点に着目してなされたものであり、その目的は、吐水空間部を備えたカウンターの上部に取り付けられ、水栓本体の両端に操作部が設けられた混合水栓において、操作部を容易に操作することができるようにすることである。
【課題を解決するための手段】
【０００７】
上記目的を達成するため本発明は、吐水空間部を備えたカウンター上部に設けられ給湯源，給水源から湯，水が供給される水栓本体と、水栓本体の左右両端に設けられ供給された湯，水の混合割合と吐水流量とを調節する第１操作部及び第２操作部と、水栓本体と連通し操作部の操作により湯水が吐水される吐水具とを備えた混合水栓において、前記水栓本体は、両端が前記吐水空間部に近づく平面視非直線形状としたものである。
【発明の効果】
【０００８】
本発明の混合水栓では、水栓本体は両端が吐水空間部に近づく平面視非直線形状であるため、両端に設けられた操作部は吐水空間部の内側を向くように配置される。そのため、使用者は従来のように体を大きく動かさなくても混合水栓の操作部に手が届き、しかも操作部を操作する際に、手がカウンター後方のバックガード部に当たることはなく、容易に操作することができるので、操作性が向上する。
【発明を実施するための最良の形態】
【０００９】
以下、本発明の実施の形態を図に基づいて詳細に説明する。
【実施例１】
【００１０】
図１は、本発明の混合水栓１１が洗面化粧台１のカウンター３に取り付けられた状態の全体図である。洗面化粧台１は、小物等が内部に収容されたキャビネット２と、該キャビネット２の上部に取り付けられたカウンター３と、該カウンター３の略中央に形成された洗面ボウル等の吐水空間部４と、吐水空間部４の後方で垂直方向に立設したバックガード部５とを備えている。また、吐水空間部４はバックガード部５と向かい合う奥側の一方又は両方のコーナーを斜めに切り欠いて取付部６が形成され、この取付部６に混合水栓１１が取り付けられている。なお、吐水空間部４の底部には排水口７が設けられ、該排水口７はキャビネット２の内部に設置された排水管（図示省略）と連通し、吐水空間部４に溜まった水は排水管から外部へ排出される。
【００１１】
前記混合水栓１１は、図２に示すように、カウンター３の上部に取り付けられ、給湯源，給水源から湯，水が供給される水栓本体１２と、該水栓本体１２の一端に設けられ、湯，水の混合割合を調節する第１操作部２１と、水栓本体１２の他端に設けられ、第１操作部２１で混合された湯水の吐水流量を調節する第２操作部２２と、水栓本体１２と連通し、両操作部２１，２２で調節された湯水が吐水される吐水具１８とを備えている。
【００１２】
前記水栓本体１２は図３に示すように横長の円筒形で、両端を結ぶ線Ｌ１が平面から見て非直線形状である円弧状で、両端が吐水空間部４に近づくよう湾曲した形状を成している。また、水栓本体１２の中央近傍には接続部１３が形成されており、該接続部１３には湯用連結管１４及び水用連結管１５が接続され、配管（図示省略）を介して給湯源，給水源にそれぞれ連通している。そして水栓本体１２の内部には、前記湯用連結管１４及び水用連結管１５から供給された湯，水の混合比率を調節するサーモスタット式，又はミキシング式の温度調節部材１６と、温度調節部材１６で混合された湯水の吐水流量を調節する流量調節部材１７とが収容されている。
【００１３】
前記第１操作部２１は水栓本体１２の一端に設けられており、その形状は水栓本体１２と略同径の円柱形で、その外周面には使用者が操作し易いように複数個の凹部２３が形成されている。この第１操作部２１は前記温度調節部材１６と連繋しており、回転操作することにより両連結管１４，１５から供給された湯，水の混合比率を調整する。
【００１４】
前記第２操作部２２は水栓本体１２の他端に設けられており、その形状は第１操作部２１と同一形状である。この第２操作部２２は前記流量調節部材１７と連繋しており、回転操作することにより前記温度調節部材１６で混合された湯水の吐水量を調節する。
【００１５】
前記吐水具１８は、水栓本体１６の上面に取り付けられたグーズネック形の吐水管であり、この吐水具１８から吐水空間部４に向けて両操作部２１，２２により調節された湯水が吐水される。
【００１６】
以上の構成において、混合水栓１１の水栓本体１２は両端が吐水空間部４に近づく平面視非直線形状であるため、操作部２１，２２は、吐水空間部４の内側を向くように配置される。そのため、使用者は従来のように体を大きく動かさなくても混合水栓１１の操作部２１，２２に手が届き、しかも水栓本体１２とバックガード部５との間隔が短くても操作部２１，２２を操作する際に、手がバックガード部５に当たることはなく、容易に操作することができるので、操作性が向上する。なお、本実施例では、混合水栓の水栓本体は、両端を結ぶ線が平面から見て円弧状としたが、略中央付近で折曲させて両端が吐水空間部に近づく形状としてもよい。また、混合水栓は吐水空間部のコーナーを斜めに切り欠いた取付部に取り付けられているがこれに限定されることなく、吐水空間部の後方に取り付けてもよい。さらに、混合水栓はキッチンのカウンターに取り付けても良い。なお、混合水栓は左右両端に操作部が設けられたものとして本実施例だけでなく、例えば第１操作部で湯の流量を調節し、第２操作部で水の流量を調節し、水栓本体の内部で湯と水が混合され、混合された湯水の温度及び流量が調節される２ハンドル式があり、このような形式の混合水栓にも適用可能である。
【図面の簡単な説明】
【００１７】
【図１】本発明の混合水栓を洗面化粧台に取り付けた状態の全体図である。
【図２】混合水栓の拡大斜視図である。
【図３】図２における平面図である。
【符号の説明】
【００１８】
３    ：カウンター
１１  ：混合水栓
１２  ：水栓本体
１８  ：吐水具
２１  ：第１操作部
２２  ：第２操作部
Ｌ１  ：水栓本体の両端を結ぶ線
【図１】
2006063737.tif 000003
【図２】
2006063737.tif 000004
【図３】
2006063737.tif 000005